(57)【要約】【課題】複数の映像メモリにおける任意の保存と、任意の読み出しが行えるディスプレイ装置を提供すること。【解決手段】各種の映像調整値を保存したメモリは、複数の入力モードに対応してそれぞれ設けた専用メモリと、それぞれの専用メモリで共用し、相互にアクセス可能な複数個の映像メモリとを備え、各種制御用マイコンは、選択中の入力モードの専用メモリに映像調整値を任意の映像メモリから読み出す機能と、選択中の入力モードの専用メモリに保存された変更後の映像調整値を任意の映像メモリに保存する機能とを持たせたものである。【選択図】　　図１
2004080685.tif 000002
【特許請求の範囲】
【請求項１】
各種の映像調整値を保存したメモリと、このメモリの映像調整値の保存、読み出し、変更等のための入力制御信号に基づき制御するとともに、映像調整のための制御信号を出力するマイコンと、このマイコンから出力した制御信号により入力ディジタル映像信号の各種信号処理を施すディジタル信号処理部と、このディジタル信号処理部により信号処理されたディジタル信号に基づいて画像を表示する表示用のパネルとを具備し、前記メモリは、複数の入力モードに対応してそれぞれ設けられた専用メモリと、これらのそれぞれの専用メモリと相互にアクセスでき、各種の映像調整値をデータとして保存しておく複数個の領域からなる映像メモリとを備え、前記マイコンは、現在選択中の入力モードの専用メモリに映像調整値を任意の映像メモリから読み出す機能と、現在選択中の入力モードの専用メモリに保存された変更後の映像調整値を任意の映像メモリに保存する機能とを持つことを特徴とするディスプレイ装置。
【請求項２】
前記メモリは、複数の入力モードに対応してそれぞれ設けられた専用メモリと、これらのそれぞれの専用メモリと相互にアクセスでき、各種の映像調整値をデータとして保存しておく複数個の領域からなる映像メモリとを備えたＥＥＰＲＯＭからなり、前記マイコンは、入力制御信号に基づいて映像調整値の変更を行い現在選択中の入力モードの専用メモリに保存する機能と、映像調整値の変更を前記ディジタル信号処理部の信号処理に反映させる機能と、映像調整値を指定された映像メモリから現在選択中の入力モードの専用メモリに読み出す機能と、現在選択中の入力モードの専用メモリの映像調整値を指定された映像メモリに保存する機能とを持つことを特徴とする請求項１記載のディスプレイ装置。
【発明の詳細な説明】
【０００１】
【発明の属する技術分野】
本発明は、コントラスト、ブライトネス等の各種映像調整項目の設定値である映像調整値を記憶しておくための複数の映像メモリを具備したＰＤＰ等のディスプレイ装置おいて、任意の映像メモリを指定して保存・読み出しを行うことを可能としたディスプレイ装置に関するものである。
【０００２】
【従来の技術】
従来より、ＰＤＰなどのディスプレイ装置には、テレビ受像機のような、コントラスト、ブライトネス、シャープネス等に加えてγ補正、色温度等多くの映像調整項目の設定値を自由に組合わせて記憶できる領域（以下、映像メモリと呼ぶ）が設けられ、この映像メモリを用いて映像調整値の保存・読み出しをして表示映像に反映させる機能（以下、映像メモリ機能と呼ぶ）により映像の調整を行ってきた。
【０００３】
図５は、従来のＰＤＰディスプレイ装置を示したブロック図である。この図において、１０は、アナログ映像信号入力端子であり、このアナログ映像信号入力端子１０からのアナログ映像信号は、Ａ／Ｄ変換部１１に入力されてディジタル映像信号に変換される。変換された後のディジタル映像信号は、ディジタル信号処理回路１２に入力されて各種の信号処理が行われた後ＰＤＰパネル１３に出力される。
【０００４】
ここで、ブライトネス等の各種映像調整項目の調整を行うには、設定変更の指定をリモコン１４や図示しない本体操作のキーボタン等によって行い、リモコン受光部１５でリモコン信号を受光し、このリモコン受光部１５からマイコン１６に制御信号が送られる。マイコン１６では、リモコン１４からの設定変更の指定に従って信号処理に用いる各種映像調整項目の設定変更を行い、この変更にともなって、その後のディジタル信号処理回路１２への制御信号が変更され、表示に反映される。この各種映像調整項目の設定変更の保存は、マイコン１６に接続されたＥＥＰＲＯＭ１７の内部に設けられた映像メモリに保存されることになる。
【０００５】
ＰＤＰディスプレイ装置には、映像入力ソース、例えば、パソコン画、ＤＶＤ画、ＶＴＲ画等に対応した複数の映像メモリが存在する。図４は、この場合の映像メモリの変更、及び、各種映像調整項目の設定変更の保存の流れについて説明した従来のフローチャート図である。以下、流れを図に沿って説明する。
（ａ）スタート時に入力モードを設定する。ＰＤＰパネルに映像を表示するときには、いずれかの入力モードが既に選択された状態となっており、さらに、複数の映像メモリのうち、いずれかの映像メモリが既に選択され、その映像メモリから読み出された映像調整値の各種映像調整項目の設定値によってディジタル信号処理が行われる。
（ｂ）映像メモリの指定を変更する（ＹＥＳ）か、しないか（ＮＯ）の判断がなされ、ここで映像メモリの指定を変更する（ＹＥＳ）場合には（ｃ）へ、しない（ＮＯ）場合には（ｅ）へ流れが移る。
（ｃ）映像メモリの指定を変更する（ＹＥＳ）場合には、リモコン１４によってＰＤＰパネルを見ながら指定した映像メモリに変更する処理を行う。
（ｄ）この映像メモリの指定の変更後、指定した映像メモリからの各種映像調整項目の設定値によってマイコン１６を通じてディジタル信号処理回路１２で信号処理され、ＰＤＰパネル１３の表示に反映させる。この後、（ｂ）に戻り、映像メモリの指定を変更するか否かを再度判断する。変更する（ＹＥＳ）場合は再び（ｃ）へ移り、変更しない（ＮＯ）場合には（ｅ）へ移る。
（ｅ）映像メモリに保存された映像調整値の内容の変更がある（ＹＥＳ）か、ないか（ＮＯ）の判断がなされ、ここで映像調整値の内容の変更がある（ＹＥＳ）場合には（ｆ）へ移り、ない（ＮＯ）場合には（ｂ）へ戻る。
（ｆ）映像メモリに映像調整値の内容の変更がある（ＹＥＳ）場合には、この変更を保存するためリモコン１４によって保存を選択し、リモコン受光部１５、マイコン１６を介して変更された映像調整値が、現在選択されている映像メモリに保存され元に戻る。
【０００６】
【発明が解決しようとする課題】
図６は、従来のＰＤＰディスプレイ装置において映像メモリを選択・保存する場合を示した概念図で、異なる入力モード毎に映像調整値の映像メモリを複数（図示例では３つの領域）持ったＰＤＰディスプレイ装置を示した例である。例えば、現在選択されている入力モードがビデオ１である場合、３つのメモリ領域のうちメモリ指定は映像メモリ１−１が選択されているものとすると、この映像メモリ１−１に保存された映像調整値がＰＤＰディスプレイの表示に反映されることになる。この選択された映像メモリ１−１における映像調整値の各種映像調整項目を変更した場合、その変更を保存するには、選択中の映像メモリである映像メモリ１−１の記憶領域に保存されることとなり、現在選択していない映像メモリ１−２又は１−３のメモリ領域に保存することはできない。そして、他の映像メモリを読み出すには、例えばメモリ指定を映像メモリ１−１から映像メモリ１−２に変更することで、映像調整値が映像メモリ１−２から読み出されて表示される。調整値の変更は、映像メモリ１の場合と同様に、現在選択中である映像メモリ１−２にしか保存することができない。映像メモリ１−３についても、他の入力モードにおいても同様である。もちろん、異なる入力モード間においても映像メモリは完全に独立したものであり、相互の映像メモリ間で変更を保存することは不可能であった。
【０００７】
このように、従来のＰＤＰディスプレイ装置においては、映像メモリが複数存在する場合、それぞれの映像メモリは独立していたので、読み出した映像メモリに対して行った設定変更は、現在選択中の映像メモリにのみ保存され、他の映像メモリに対して保存することはできなかった。そのため、他の映像メモリに対して変更を行うには、その都度変更したい映像メモリを読み出して変更を行う必要があった。
また、入力モードの異なる複数の映像メモリを同一に設定したい場合は、それぞれの入力モード毎に映像メモリを読み込んでそれぞれ個別に独立して設定を調整しなければならず、極めて不便で、かつ相互の調整値が違ってしまうおそれがあった。
【０００８】
本発明は、上記問題点に鑑みなされたもので、複数の映像メモリに対して任意の保存・読み出しが行えるＰＤＰディスプレイ装置を提供することを目的とするものである。
【０００９】
【課題を解決するための手段】
本発明は、各種の映像調整値を保存したメモリと、このメモリの映像調整値の保存、読み出し、変更等のための入力制御信号に基づき制御するとともに、映像調整のための制御信号を出力するマイコンと、このマイコンから出力した制御信号により入力ディジタル映像信号の各種信号処理を施すディジタル信号処理部と、このディジタル信号処理部により信号処理されたディジタル信号に基づいて画像を表示する表示用のパネルとを具備し、前記メモリは、複数の入力モードに対応してそれぞれ設けられた専用メモリと、これらのそれぞれの専用メモリと相互にアクセスでき、各種の映像調整値をデータとして保存しておく複数個の領域からなる映像メモリとを備え、前記マイコンは、現在選択中の入力モードの専用メモリに映像調整値を任意の映像メモリから読み出す機能と、現在選択中の入力モードの専用メモリに保存された変更後の映像調整値を任意の映像メモリに保存する機能とを持つことを特徴とするディスプレイ装置である。
【００１０】
このような構成とすることで、映像調整値の読み出しのときは、読み出す映像メモリを選択することで任意の映像メモリから読み出せ、映像調整値の保存のときは、保存する映像メモリを選択することで任意の映像メモリに保存でき、これにより、異なる入力モード間で情報を相互利用することができ、より簡単な映像調整が行える。
【００１１】
【発明の実施の形態】
本発明の実施の形態を図面に基づいて説明する。
図２は、本発明によるＰＤＰディスプレイ装置を示したブロック図である。この図において、２０は、アナログ映像信号入力端子であり、このアナログ映像信号入力端子２０からのアナログ映像信号は、Ａ／Ｄ変換部２１に入力されてディジタル映像信号に変換される。変換後のディジタル映像信号は、ディジタル信号処理回路２２に入力されて各種の信号処理が行われた後ＰＤＰパネル２３に出力される。
【００１２】
ここで、ブライトネス、コントラスト、シャープネス、γ補正、色補正等の各種映像調整項目の調整を行うには、設定変更の指定をリモコン２４や図示しない本体操作のキーボタン等によって行い、リモコン受光部２５でリモコン信号を受光し、このリモコン受光部２５からマイコン２６に制御信号が送られる。マイコン２６では、リモコン２４からの設定変更の指定に従って信号処理に用いる各種映像調整項目の設定変更を行い、この変更にともなって、その後のディジタル信号処理回路２２への制御信号が変更され、表示に反映される。この各種映像調整項目の設定変更のデータは、マイコン２６に接続されたＥＥＰＲＯＭ（電気的消去型ＰＲＯＭ）などのメモリ２７に保存される。
【００１３】
前記メモリ２７の内部には、図３に示すように、入力モード（例えば、ビデオ１、ビデオ２、・・・、ＲＧＢ１）毎に専用メモリ（例えば、ビデオ用１、ビデオ用２、・・・、ＲＧＢ用１）が設けられるとともに、これら全ての入力モードで共通に用いる映像メモリが複数個、例えば１０個設けられている。このような構成とすることにより、各種映像調整項目の設定変更を行うと、そのデータは現在選択中の入力モードに設けられた専用メモリに一旦保存されるが、保存先として、全ての入力モードで共通に用いる映像メモリを選択して保存することができる。このように、本発明は、前記マイコン２６によって任意の映像メモリに対する保存・読み出しの制御を行う機能に特徴を有するものである。
【００１４】
図１は、本発明のＰＤＰディスプレイ装置における複数の映像メモリが存在する場合の映像メモリの変更、及び、各種映像調整項目の設定変更の保存の流れについて説明したフローチャート図である。以下、流れを図に沿って説明する。
（ａ）ＰＤＰパネルに映像を表示するスタート時に、複数の入力モード、例えば、ビデオ１、ビデオ２、ＲＧＢ１などのうち、いずれかの入力モードを設定する。
（ｂ）映像メモリの読み出し指定をする（ＹＥＳ）か、しないか（ＮＯ）の判断がなされ、指定をする（ＹＥＳ）場合には（ｃ）へ、しない（ＮＯ）場合には（ｄ）へ流れが移る。
（ｃ）映像メモリの読み出し指定をする（ＹＥＳ）場合には、リモコン２４や図示しない本体操作のキーボタン等によってＰＤＰパネル２３を見ながら指定処理を行い、この読み出し後の各種映像調整値は、現在選択中の入力モードの専用メモリに書き込まれるとともに、マイコン２６を通じてディジタル信号処理回路２２で信号処理され、ＰＤＰパネル２３の表示に反映される。この表示の反映後、（ｂ）に戻り、映像メモリの読み出し指定の有無を再度判断する。指定する（ＹＥＳ）場合は再び（ｃ）へ移り、指定しない（ＮＯ）場合には（ｄ）へ移る。
（ｄ）前段（ｂ）で映像メモリの読み出し指定をしない（ＮＯ）の場合において、表示中の映像調整値の内容を変更する（ＹＥＳ）か、しないか（ＮＯ）の判断がなされる。ここで表示中の映像調整値を変更する（ＹＥＳ）場合には（ｅ）へ、しない（ＮＯ）場合には（ｆ）へ流れが移る。
（ｅ）前段（ｄ）で表示中の映像調整値を変更する（ＹＥＳ）場合には、リモコン２４や図示しない本体操作のキーボタン等によってＰＤＰパネル２３を見ながら変更処理を行い、変更後の各種映像調整値は、選択中の入力モードの専用メモリに書き換えられるとともに、マイコン２６を通じてディジタル信号処理回路２２で信号処理され、ＰＤＰパネル２３の表示に反映される。
（ｆ）前段（ｄ）で表示中の映像調整値を変更しない（ＮＯ）場合において、指定の映像メモリに映像調整値の内容を保存する（ＹＥＳ）か、しないか（ＮＯ）の判断がなされ、ここで映像調整値の内容を保存する（ＹＥＳ）場合には（ｇ）へ移り、しない（ＮＯ）場合には（ｂ）へ戻る。
（ｇ）前段（ｆ）で指定の映像メモリに映像調整値の内容を保存する（ＹＥＳ）ときには、複数存在する映像メモリのうち、どの映像メモリに保存するかを指定する。ここでは、読み出し先の映像メモリの如何に拘らず、保存先として任意の映像メモリを選択することができる。保存する映像メモリの指定をすると、現在表示中の映像調整値が、指定された映像メモリに保存される。保存後元の（ｂ）に戻る。
【００１５】
このように、本発明によれば、映像調整値の読み出し先の映像メモリがどの映像メモリであっても、保存のときは保存先の映像メモリを任意に選択することで任意の映像メモリに保存できる。これを概念的に示したのが図３である。この図３に示すように、映像調整は、それぞれ対応する入力モードの専用メモリで行うが、保存・読み出しは１〜１０のうちのどの映像メモリに対しても行えるものであり、また、それぞれを独立に用いることもできるものである。これらの複数の映像メモリは、入力モード毎に設けられたすべての専用メモリで共通に用いているため、入力モードを切り替えても、共用している映像メモリに記憶された映像調整値を読み出すことで容易に同一設定にすることができる。
【００１６】
また、複数の映像メモリ間で映像調整項目の設定値を少しずつ変更したい場合とか、異なる入力モード間で映像調整項目の設定値を少しずつ変更したい場合など、調整値を少しずつ変更して保存する場合に、任意の保存・読み出しを行える効果がある。例えば、互いにコントラストのみを少しずらした映像調整値を、映像メモリ１、２、・・・に対してそれぞれ保存したい場合に、従来の技術では、映像メモリ１−１に保存された映像調整値を基準として映像メモリ１−２、映像メモリ１−３のコントラストをのみを少しずつずらすには、映像メモリ１−２の映像調整値を読み出して、コントラスト以外の各種映像調整項目を映像メモリ１−１に合わせつつコントラストを少しずらしたものを映像メモリ１−２に保存し、映像メモリ１−３の映像調整値を読み出して、コントラスト以外の各種映像調整項目を映像メモリ１−１に合わせつつコントラストをさらに少しずらしたものを映像メモリ１−３に保存するという方法で行うしかなく、それぞれの情報は独立していて相互利用することができなかった。
しかし、本発明による方法では、任意の映像メモリに対して相互に保存・読み出しが可能であるため、映像メモリ１から映像調整値を読み出して、コントラストをずらしながら映像メモリ１、２、・・・にそれぞれ順次保存をしていくだけで同様の結果が得られ、情報を相互利用することで、より簡単に映像調整が可能になる。
【００１７】
前記実施例では、ＰＤＰディスプレイ装置において、映像メモリが１０個の場合について説明したが、本発明はこれに限られるものではなく、映像メモリの数は適宜変更できるものであり、また、入力モードの数にも影響されない。さらに、ＰＤＰディスプレイ以外のディスプレイであっても応用することができる。
【００１８】
【発明の効果】
請求項１記載の発明によれば、マイコンに、現在選択中の入力モードの専用メモリに映像調整値を任意の映像メモリから読み出す機能と、現在選択中の入力モードの専用メモリに保存された変更後の映像調整値を任意の映像メモリに保存する機能とを持たせたので、複数の映像メモリに対して任意の保存・読み出しが行える。よって、従来のディスプレイ装置において存在した、読み出した映像メモリに対して行った設定変更は現在選択中の映像メモリに以外に保存することはできないという問題、入力モードの異なる複数の映像メモリを同一に設定したい場合にはそれぞれの入力モード毎に映像メモリを読み込んでそれぞれ個別に独立して設定を調整しなければならないという問題などが解消され、情報の相互利用を行うことができる。
【００１９】
請求項２記載の発明によれば、マイコンに、入力制御信号に基づいて映像調整値の変更を行い現在選択中の入力モードの専用メモリに保存する機能と、映像調整値の変更を前記ディジタル信号処理部の信号処理に反映させる機能と、映像調整値を指定された映像メモリから現在選択中の入力モードの専用メモリに読み出す機能と、現在選択中の入力モードの専用メモリの映像調整値を指定された映像メモリに保存する機能とを持たせたので、任意の映像メモリを選択して保存・読み出しが行え、異なる入力モード間で情報を相互利用することができ、より簡単な映像調整が可能になる。
【図面の簡単な説明】
【図１】本発明のディスプレイ装置における映像メモリ機能を示したフローチャートである。
【図２】本発明のディスプレイ装置の一実施例を示したブロック図である。
【図３】本発明のディスプレイ装置における映像メモリ機能によって映像調整値を保存・読み出しする作用を示した概念図である。
【図４】従来のＰＤＰディスプレイ装置における映像メモリ機能を示したフローチャートである。
【図５】従来のＰＤＰディスプレイ装置の構成を示したブロック図である。
【図６】従来のＰＤＰディスプレイ装置における映像メモリ機能によって映像調整値を保存・読み出しする作用を示した概念図である。
【符号の説明】
１０…アナログ映像信号入力端子、１１…Ａ／Ｄ変換部、１２…ディジタル信号処理部、１３…ＰＤＰパネル、１４…リモコン、１５…リモコン受光部、１６…マイコン、１７…メモリ（ＥＥＰＲＯＭ）、２０…アナログ映像信号入力端子、２１…Ａ／Ｄ変換部、２２…ディジタル信号処理部、２３…ＰＤＰパネル、２４…リモコン、２５…リモコン受光部、２６…マイコン、２７…メモリ（ＥＥＰＲＯＭ）。
【図１】
2004080685.tif 000003
【図２】
2004080685.tif 000004
【図３】
2004080685.tif 000005
【図４】
2004080685.tif 000006
【図５】
2004080685.tif 000007
【図６】
2004080685.tif 000008